(57)【要約】【課題】装置全体の生産性を落とすことなく、より高解像度でコピー画像を出力可能な画像形成装置を提供する。【解決手段】光学系を用いて原稿の画像を読み取る読取手段と、読取手段により読み取られた画像を用紙上に書き込む書込手段と、書込手段により画像が書き込まれた用紙に後処理を施す後処理手段と、読取手段による読取動作時、書込手段による書込動作時、及び後処理手段による後処理動作時における生産性を表す値をそれぞれ算出する生産性算出手段と、生産性算出手段により算出された生産性を表す値に基づいて、読取手段による読取動作を制御する制御手段と、を備える。【選択図】図４
2010139904.tif 000002
【特許請求の範囲】
【請求項１】
光学系を用いて原稿の画像を読み取る読取手段と、
前記読取手段により読み取られた画像を用紙上に書き込む書込手段と、
前記書込手段により前記画像が書き込まれた用紙に後処理を施す後処理手段と、
前記読取手段による読取動作時、前記書込手段による書込動作時、及び前記後処理手段による後処理動作時における生産性を表す値をそれぞれ算出する生産性算出手段と、
前記生産性算出手段により算出された生産性を表す値に基づいて、前記読取手段による読取動作を制御する制御手段と、
を備えることを特徴とする画像形成装置。
【請求項２】
前記生産性を表す値は、
読取モードに応じて算出されることを特徴とする請求項１に記載の画像形成装置。
【請求項３】
前記読取モードは、
通常の読取動作を行う通常読取モードと、
前記通常読取モードに比べ、高解像度で読取動作を行う高解像度読取モードと、
前記通常読取モードに比べ、低解像度で読取動作を行う低解像度読取モードと、
を含むことを特徴とする請求項２に記載の画像形成装置。
【請求項４】
前記制御手段は、
前記書込動作の生産性及び前記後処理動作の生産性に比べ、前記読取動作の生産性が高かった場合には、前記通常読取モードから前記高解像度読取モードへと切り替えることを特徴とする請求項２又は３に記載の画像形成装置。
【請求項５】
前記制御手段は、
前記書込動作の生産性及び前記後処理動作の生産性に比べ、前記読取動作の生産性が低かった場合には、前記通常読取モードから前記低解像度読取モードへと切り替えることを特徴とする請求項２から４のいずれか一項に記載の画像形成装置。
【請求項６】
各種設定画面や画像の状態、及び各機能の動作状況等を表示する表示手段をさらに備え、
前記制御手段は、
前記読取動作の生産性と前記書込動作の生産性及び前記後処理動作の生産性とを比較して、前記読取モードを変更可能と判断した場合には、当該読取モードを変更可能である旨を前記表示手段に表示させることを特徴とする請求項３に記載の画像形成装置。
【発明の詳細な説明】
【技術分野】
【０００１】
本発明は、画像形成装置に関する。
【背景技術】
【０００２】
近年普及が進むデジタル画像形成装置では、画像出力に関しては１２００ｄｐｉ或いは２４００ｄｐｉといった高解像度出力が一般的である。これは、ポリゴンモータ＋レーザを用いた書込手段或いはＬＰＨ（LED Printer Head）を用いた書込手段が、高解像度で高速化されてきていることにより実現されている。
一方、画像読み取りに関しては６００ｄｐｉが一般的である。これは、ＣＣＤ（Charge Coupled Device）を用いた読取手段或いはＣＩＳ（Contact Image Sensor）を用いた読取手段が、上記した書込手段のように高解像度化かつ高速化に対応しきれていないためである。特に主走査方向に関しては、デバイスの制約により高解像度での読み取りを行うことができない。
【０００３】
例えば、Ａ４用紙（２９７×２１０ｍｍ）を５０枚機（毎分５０枚）で出力する場合について説明する。紙幅２１０ｍｍ、紙間隔を４０ｍｍとして、毎分５０枚の用紙を搬送するためには、２５０［ｍｍ］×５０［枚］÷６０［ｓｅｃ］≒２１０［ｍｍ／ｓｅｃ］以上の搬送速度が必要となる。
Ａ４の画像の場合、６００ｄｐｉで約７５００×５３００画素となり、副走査方向の１Ｌｉｎｅを読み書きする時間は、２１０［ｍｍ］÷２１０［ｍｍ／ｓｅｃ］÷５３００［Ｌｉｎｅ］≒１８８．７［μｓｅｃ／Ｌｉｎｅ］以下でなければならない。
【０００４】
ポリゴンモータ＋レーザを用いた書込手段に関しては、ポリゴンモータを３００００ｒｐｍ以上の回転速度かつ６面若しくは８面構成とすること、またレーザを２ビーム若しくは４ビーム構成とすることで、１Ｌｉｎｅあたりの処理時間を速くすることができ、１２００ｄｐｉ、２４００ｄｐｉといった高解像度化に対応することが可能でなる。また、ＬＰＨを用いた書込手段に関しても、ＬＥＤチップアレイの小型化、高速化対応が進み、１２００ｄｐｉ出力でも、１Ｌｉｎｅあたりの処理時間が５０μｓｅｃ以下まで対応することが可能となっている。
【０００５】
現在の画像形成装置では、前のジョブにおける画像形成処理中に、次のジョブについての設定を許可したり原稿読取動作を行ったりすることができる。前のジョブの画像形成処理が終了すると、速やかに次のジョブの画像形成動作を開始することができる。前のジョブと次のジョブとの間の時間のロスを低減することで、生産性を向上させている。近年ではさらに、画像形成後の用紙に対するステイプルやパンチ等の後処理機能が多様化している。後処理機能付きの画像形成装置では、次のジョブについての原稿読取動作中に前のジョブについての後処理動作が行われることもある。
【０００６】
特許文献１には、後処理部の動作に応じて画像読取部の読取動作を制御する技術が記載されている。例えば、後処理部で複数枚のシートを一度に処理するバッチ処理を行うときに読取動作を停止させたり、後処理部で各シートを１枚ずつ処理するときに読取速度を減速させたりすることにより、画像読取部の読取動作を制御することができる。
また、特許文献２には、高生産性が得られる原稿読取モードと安定した生産性が得られる原稿読取モードとを光学系駆動手段及び原稿搬送手段の温度検知に基づき自動的に切替制御する技術が記載されている。
【特許文献１】特開２００２−１９０９０７号公報
【特許文献２】特開２００３−２３５２６号公報
【発明の開示】
【発明が解決しようとする課題】
【０００７】
一方、読取手段に関しては、６００ｄｐｉ出力でも、１Ｌｉｎｅあたり１５０μｓｅｃ    程度かかってしまう。副走査方向に関しては、紙搬送速度を下げることで高解像度化が可能であるが、高解像度化を目的として単純に紙搬送速度を下げてしまうと読取手段の生産性が落ちてしまう。
特許文献１に記載の技術は、消費電力を抑えることを目的として読取動作を停止若しくは減速制御するもので、解像度の切り替えを目的とするものではない。
また、特許文献２に記載の技術は、光学系駆動手段及び原稿搬送手段の温度に基づいて原稿読取モードを切り替えるもので、後処理部を含む本体装置全体での生産性を考慮して解像度の切り替えを行うものではない。
【０００８】
本発明は、装置全体の生産性を落とすことなく、より高解像度でコピー画像を出力可能な画像形成装置を提供することを目的とする。
【課題を解決するための手段】
【０００９】
請求項１に記載の発明は、上記目的を達成するためになされたものであり、画像形成装置において、光学系を用いて原稿の画像を読み取る読取手段と、前記読取手段により読み取られた画像を用紙上に書き込む書込手段と、前記書込手段により前記画像が書き込まれた用紙に後処理を施す後処理手段と、前記読取手段による読取動作時、前記書込手段による書込動作時、及び前記後処理手段による後処理動作時における生産性を表す値をそれぞれ算出する生産性算出手段と、前記生産性算出手段により算出された生産性を表す値に基づいて、前記読取手段による読取動作を制御する制御手段と、を備えることを特徴とする。
【００１０】
請求項２に記載の発明は、請求項１に記載の画像形成装置において、前記生産性を表す値は、読取モードに応じて算出されることを特徴とする。
【００１１】
請求項３に記載の発明は、請求項２に記載の画像形成装置において、前記読取モードは、通常の読取動作を行う通常読取モードと、前記通常読取モードに比べ、高解像度で読取動作を行う高解像度読取モードと、前記通常読取モードに比べ、低解像度で読取動作を行う低解像度読取モードと、を含むことを特徴とする。
【００１２】
請求項４に記載の発明は、請求項２又は３のいずれか一項に記載の画像形成装置において、前記制御手段は、前記書込動作の生産性及び前記後処理動作の生産性に比べ、前記読取動作の生産性が高かった場合には、前記通常読取モードから前記高解像度読取モードへと切り替えることを特徴とする。
【００１３】
請求項５に記載の発明は、請求項２から４のいずれか一項に記載の画像形成装置において、前記制御手段は、前記書込動作の生産性及び前記後処理動作の生産性に比べ、前記読取動作の生産性が低かった場合には、前記通常読取モードから前記低解像度読取モードへと切り替えることを特徴とする。
【００１４】
請求項６に記載の発明は、請求項３に記載の画像形成装置において、各種設定画面や画像の状態、及び各機能の動作状況等を表示する表示手段をさらに備え、前記制御手段は、前記読取動作の生産性と前記書込動作の生産性及び前記後処理動作の生産性とを比較して、前記読取モードを変更可能と判断した場合には、当該読取モードを変更可能である旨を前記表示手段に表示させることを特徴とする
【発明の効果】
【００１５】
本発明によれば、装置全体の生産性を落とすことなく、より高解像度でコピー画像を出力可能な画像形成装置を提供することができる。
【発明を実施するための最良の形態】
【００１６】
以下、本発明の実施の形態を図面に基づいて説明する。
【００１７】
まず、構成を説明する。
図１に、本実施の形態における画像形成装置１の外観図を示す。
図１に示すように、画像形成装置１は、本体部１００と、これにオプション接続された後処理部２００と、を備えて構成される。
【００１８】
本体部１００は、表示部１１０、操作部１２０、を備えて構成される。
表示部１１０は、例えば、ＬＣＤ（Liquid Crystal Display）により構成され、各種表示制御信号に従って、画面上に各種設定画面や画像の状態表示、各機能の動作状況等の表示を行う（表示手段）。
また、表示部１１０の画面上には、透明電極を格子状に配置した感圧式（抵抗膜圧式）のタッチパネルが構成されており、手指やタッチペン等で操作された力点のＸＹ座標を電圧値で検出し、検出された位置信号を操作信号として後述する制御部４０に出力する。
【００１９】
操作部１２０は、画像形成装置１を操作するための操作キー群（例えばテンキー、スタートキー、モード設定キー等）を備える。操作部１２０は、ユーザにより操作キーが押下されると、操作キーに応じた操作信号を生成し、制御部４０に出力する。
【００２０】
本体部１００内部の機能構成については、図２を用いて詳細に説明する。
図２に示すように、本体部１００は、画像読取部１０、画像形成部２０、電源部３０、制御部４０、除湿ヒータ５０、搬送部６０を備えて構成される。
【００２１】
画像読取部１０は、自動原稿給紙装置１１、原稿画像走査装置１２等から構成されている。自動原稿給紙装置１１は、原稿台に載置された原稿ｄを搬送機構により搬送して原稿画像走査装置１２の方へ送り出し、原稿画像走査装置１２は搬送された原稿ｄを光走査し、センサＣＣＤにより光電変換して原稿画像を読み取る（読取手段）。
【００２２】
画像読取部１０により読み取られた原稿画像（アナログ画像信号）は、後述する制御部４０に出力され、アナログ処理、Ａ／Ｄ変換処理、シェーディング補正、画像圧縮処理等の各種画像処理が施された後、Ｙ（イエロー）、Ｍ（マゼンダ）、Ｃ（シアン）、Ｋ（クロ）の各色に色分解され、出力用画像データとして画像形成部２０の露光ユニット２Ｙ、２Ｍ、２Ｃ、２Ｋに出力される。
【００２３】
なお、自動原稿給紙装置１１は、原稿の両面を読み取るための搬送機構を有しており、原稿台から搬送される多数枚の原稿ｄの画像（両面を含む）を連続して一挙に読み取ることが可能である。読み取られた原稿画像のデータは画像形成部２０内部の画像メモリに記憶され、出力時に順次出力用データとして読み出されて露光ユニット２Ｙ、２Ｍ、２Ｃ、２Ｋに出力されることとなる。この機能は、複写機能により多数枚の原稿画像を複写する場合、或いはファクシミリ機能により多数枚の原稿ｄのデータを送信する場合等に利用する。
【００２４】
画像形成部２０は、タンデム方式で用紙に画像形成を行うものであり、Ｙ、Ｍ、Ｃ、Ｋの色ごとに、主走査方向にライン状に配列した発光素子などである露光ユニット２Ｙ、２Ｍ、２Ｃ、２Ｋ、現像ユニット３Ｙ、３Ｍ、３Ｃ、３Ｋ、感光体ドラム４Ｙ、感光体ドラム４Ｍ、４Ｃ、４Ｋ、一次転写ローラ７Ｙ、７Ｍ、７Ｃ、７Ｋ、中間転写ベルト８などを備えている。感光体ドラム４Ｙ、４Ｍ、４Ｃ、４Ｋの周囲には、帯電を行う帯電部５Ｙ、５Ｍ、５Ｃ、５Ｋ、感光体ドラム４Ｙ、４Ｍ、４Ｃ、４Ｋ上の残存トナーを除去するクリーニング部６Ｙ、６Ｍ、６Ｃ、６Ｋが設けられている。
【００２５】
また、画像形成部２０は、中間転写ベルト８上に転写されたトナー像を用紙上に転写するための二次転写ローラ２１、用紙上に転写後のトナー像を熱定着させる定着部２２を備えている。中間転写ベルト８は、複数のローラにより巻回されて回動可能に支持されている。この中間転写ベルト８に面して、当該中間転写ベルト８上の残存トナーを除去するクリーニング部９が設けられている。
【００２６】
画像形成部２０における画像形成は、後述する制御部４０の制御の下、露光ユニットにより各色の感光体ドラムに静電潜像を形成し、その静電潜像へトナーを付着させたトナー像を中間転写ベルト８に形成して用紙へ転写し、その用紙上のトナー像を定着部２２で熱定着して行う（書込手段）。
【００２７】
電源部３０は、図示しない商用交流電源に接続され、商用交流電源から入力されたＡＣ（交流）電源電力をＤＣ（直流）電源電力に変換し、必要な電圧を各部にそれぞれ供給する。電源部３０は制御部４０からの制御命令に従って電源供給を行う。
【００２８】
制御部４０は、画像形成装置１の動作を統括制御するための制御駆動回路であり、図３に示すように、ＣＰＵ（Central Processing Unit）４１と、ＲＡＭ（Random Access Memory）４２と、ＲＯＭ（Read Only Memory）４３と、入力ポート４４と、出力ポート４５と、ドライバ４６と、を備えて構成されている。
制御部４０は、ＣＰＵ４１においてＲＡＭ４２の所定領域を作業領域とし、ＲＯＭ４３やＨＤＤ等の記憶部（特に図示しない）に記憶される制御プログラムやアプリケーションプログラム、各種設定データを読み込んで順次実行することで、画像形成装置１の動作を統括制御する。また、制御部４０は、上述したプログラムを順次実行することで、前述した各種画像処理を行う。
【００２９】
また、制御部４０は、ユーザにより或いは自動的に設定された読取モードに基づいて画像読取部１０の動作を制御する。
読取モードは、通常の読取動作を行う通常読取モードと、通常読取モードに比べ高解像度で読取動作を行う高解像度読取モードと、通常読取モードに比べ低解像度で読取動作を行う低解像度読取モードと、を含む。本実施形態では、高解像度読取モード及び低解像度読取モードを２段階ずつ設けている。通常読取モードは、解像度６００ｄｐｉで読取動作を行う。高解像度読取モードは、解像度１２００ｄｐｉ又は２４００ｄｐｉで読取動作を行う。低解像度読取モードは、解像度４００ｄｐｉ又は２００ｄｐｉで読取動作を行う。
【００３０】
また、制御部４０は、読取手段（画像読取部１０）による読取動作の生産性、書込手段（画像形成部２０）による書込動作の生産性、及び後述する後処理手段（後処理部２００）による後処理動作の生産性をそれぞれ算出する（生産性算出手段）。当該生産性を表す値は、はじめに設定された読取モードに応じて算出される。そして、当該算出された生産性に基づいて新たに上記した読取モードの設定を行う（制御手段）。
【００３１】
入力ポート４４は、画像形成装置１の各所に設置された各種センサからの信号を受け取り、受信した信号をＣＰＵ４１に出力するインタフェースである。
出力ポート４５は、ＣＰＵ４１により出力された制御信号をドライバ４６に出力するインタフェースである。
ドライバ４６は、出力ポート４５から出力された制御信号に基づいて、画像形成装置１の各所に設置された各種モータの駆動制御を司る。
【００３２】
除湿ヒータ５０は、画像形成装置１の底部に設けられ、制御部４０の制御の下に駆動することで、装置内の温度調整を行って結露を防止する除湿用のヒータである。
【００３３】
搬送部６０は、搬送用のローラ機構などにより、ＡＴＳ給紙機能により制御可能な用紙トレイＴ１〜Ｔ３に載置された用紙を搬送経路に沿って各部へ搬送し、最終的にオプション接続された後処理部２００へと搬送する。具体的には、搬送部６０は、用紙トレイＴ１〜Ｔ３に載置された用紙の二次転写ローラ２１への搬送、二次転写ローラ２１でトナー画像を転写された後の用紙の定着部２２への搬送、定着部２２で熱定着された用紙の後処理部２００への搬送などを行う。
【００３４】
再び図１を参照して、後処理部２００は、搬送部６０から搬送された用紙に各種後処理を行う、いわゆるフィニッシャーである（後処理手段）。例えば、搬送部６０から搬送された用紙のソート処理を行うソートユニット、パンチ処理を行うパンチユニット、ステイプル処理を行うステイプルユニット、Ｚ折り、中折り等の折り処理を行う折りユニット、断裁処理を行う断裁ユニット、包み製本処理を行う包み製本ユニット等を備える。後処理部２００の左側には、搬送された用紙が排紙される排紙トレイＥＴ１、ＥＴ２が設けられており、搬送された用紙が排紙される。
【００３５】
また、後処理部２００の上部には、挿入用紙用のトレイである２つのポストインサータ上段ＰＩ１、下段ＰＩ２が設けられており、ユーザのニーズに合わせて様々な種類の用紙を積載して給紙可能となっている。
例えば、いずれかのポストインサータＰ１１、Ｐ１２に、用紙片の一部に突出したタブ部を有するタブ紙や異なる配色を施されたカラーシート、すでに画像形成された用紙等を載置し、ジョブの設定に従って給紙することにより、搬送部６０から搬送された複数の印字用の用紙間に、これらの用紙を挿入することができる。
さらに、後処理部２００には、包み製本用の用紙を積載するトレイＰＢ（図示略）が設けられている。
【００３６】
画像形成処理において、例えば、自動原稿給紙装置１１の原稿台に載置された原稿Ｄは、原稿画像走査装置１２の読取箇所であるコンタクトガラスに搬送され、原稿画像走査装置１２の光学系（センサＣＣＤ）により原稿Ｄの画像が読み取られる。ここで、画像とは、図形や写真等のイメージデータに限らず、文字や記号等のテキストデータ等も含む。
原稿画像走査装置１２に読み取られた画像（アナログ画像信号）は、制御部４０において、Ａ／Ｄ変換され、各種画像処理が施された後、画像形成部２０に出力される。そして、画像形成部２０において、給紙トレイＴ１〜Ｔ３から給紙された用紙上に、デジタル画像データに基づく画像が形成される。
画像形成された用紙は、画像形成部２０内の搬送部６０により後処理部２００へと搬送され、後処理部２００の後処理機構により所定の後処理を施された後、排紙トレイＥＴ１、ＥＴ２のいずれかに排紙される。
【００３７】
このように、本実施形態に係る画像形成装置１は、光学系を用いて原稿の画像を読み取る読取手段（画像読取部１０）と、読取手段により読み取られた画像を用紙上に書き込む書込手段（画像形成部２０）と、書込手段により画像が書き込まれた用紙に後処理を施す後処理手段（後処理部２００）と、読取手段による読取動作時、書込手段による書込動作時、及び後処理手段による後処理動作時における生産性を表す値をそれぞれ算出する生産性算出手段（制御部４０、ＣＰＵ４１）と、生産性算出手段により算出された生産性を表す値に基づいて、読取手段による読取動作を制御する制御手段（制御部４０、ＣＰＵ４１）と、を備える。
【００３８】
（第１実施形態）
図４は、本実施形態に係る画像形成装置１内で行われる読取モード設定処理の一例について示したフローチャートである。この読取モード設定処理は、ユーザにより原稿が自動原稿給紙装置１１の原稿台にセットされ、出力動作が設定されたことを契機に、ＣＰＵ４１がＲＯＭ４３に格納されているプログラムを実行することにより実現される。
【００３９】
図４に示すように、ステップＳ１０１では、原稿の出力設定が完了したか否かが判定される。原稿の入出力設定が完了した場合は、次のステップＳ１０２へと移行し、原稿の入出力設定が完了していなかった場合は、当該ステップＳ１０１の処理を繰り返す。
【００４０】
ステップＳ１０２では、読取部（画像読取部１０）の生産性（Ｐｒ）が算出される。当該Ｐｒは、例えば図５に示したテーブルに基づいて算出される。図５に示すように、読取部における原稿の入力設定が片面読取（モノクロ）の場合は、生産性１００％と算出される。また、両面同時読取（モノクロ）の場合は生産性２００％、両面同時読取（カラー）の場合は生産性１５０％、片面読取（カラー）の場合は生産性７５％、原稿循環式両面読取（モノクロ、カラー）の場合は生産性５０％とそれぞれ算出される。
【００４１】
ステップＳ１０３では、本体＋後処理部（画像形成部２０＋後処理部２００）の生産性（Ｐｏ）が算出される。当該Ｐｏは、例えば図６に示したテーブルに基づいて算出される。図６に示すように、本体＋後処理部における原稿の出力設定が本体（小サイズ、片面、モノクロ）＋後処理部（パンチ＋ステイプル）の場合は、生産性１００％と算出される。また、本体（小サイズ、片面、カラー）＋後処理部（パンチ＋ステイプル）の場合及び本体（大サイズ、片面、モノクロ）＋後処理部（ステイプル）の場合は生産性７５％、本体（大サイズ、片面、カラー）＋後処理部（ステイプル）の場合、本体（小サイズ、両面、モノクロ）＋後処理部（Ｚ折り＋ステイプル）の場合及び本体（小サイズ、両面、カラー）＋後処理部（Ｚ折り＋ステイプル）の場合は生産性５０％、本体（大サイズ、両面、モノクロ）＋後処理部（中折りｏｒ中綴じ）の場合及び本体（大サイズ、両面、カラー）＋後処理部（中折りｏｒ中綴じ）の場合は生産性２５％とそれぞれ算出される。
【００４２】
ステップＳ１０４では、読取部の生産性／本体＋後処理部の生産性（Ｐｒ／Ｐｏ）の値が算出される。
ステップＳ１０５では、読取モード決定テーブルに基づいて読取モードが決定される。当該読取モード決定テーブルを図７に示す。図７に示すように、ステップＳ１０４で算出されたＰｒ／Ｐｏの値が１．０以上２．０未満だった場合は、読取解像度６００ｄｐｉ相当（読取速度１倍線速）の読取モード、すなわち通常読取モードのまま読取動作が行われることとなる。また、Ｐｒ／Ｐｏの値が４．０以上だった場合は読取解像度２４００ｄｐｉ相当（読取速度０．２５倍線速）の読取モードに、Ｐｒ／Ｐｏの値が２．０以上４．０未満だった場合は読取解像度１２００ｄｐｉ相当（読取速度０．５倍線速）の読取モードに、Ｐｒ／Ｐｏの値が０．７５以上１．０未満だった場合は読取解像度４００ｄｐｉ相当（読取速度１．３３倍線速）の読取モードに、Ｐｒ／Ｐｏの値が０．７５未満だった場合は読取解像度２００ｄｐｉ相当（読取速度１．６７倍線速）の読取モードにそれぞれ決定される。
ステップＳ１０６では、ステップＳ１０５で決定された読取モードに基づいて読取動作が開始される。
【００４３】
このように、第１実施形態に係る画像形成装置１は、読取動作の生産性と書込動作の生産性及び後処理動作の生産性とを比較した結果に基づいて読取モードを自動的に変更することができる。
これにより、例えば、書込動作の生産性及び後処理動作の生産性に比べ、読取動作の生産性が高かった場合には、通常読取モードから高解像度読取モードへと切り替えることができ、画像形成装置１全体の生産性を落とすことなくより高解像度でコピー画像を出力することが可能となる。また、書込動作の生産性及び後処理動作の生産性に比べ、読取動作の生産性が低かった場合には、通常読取モードから低解像度読取モードへと切り替えることで、読取動作の生産性を高くして、画像形成装置１全体の生産性を高くすることができる。
【００４４】
（第２実施形態）
図８は、本実施形態に係る画像形成装置１内で行われる読取モード設定処理の一例について示したフローチャートである。
【００４５】
図８に示すように、ステップＳ２０１では、原稿の入出力設定が完了したか否かが判定される。原稿の入出力設定が完了した場合は、次のステップＳ２０２へと移行し、原稿の入出力設定が完了していなかった場合は、当該ステップＳ２０１の処理を繰り返す。
【００４６】
ステップＳ２０２では、読取部（画像読取部１０）の生産性（Ｐｒ）が算出される。当該Ｐｒは、例えば図５に示したテーブルに基づいて算出される。図５に示すように、読取部における原稿の入力設定が片面読取（モノクロ）の場合は、生産性１００％と算出される。また、両面同時読取（モノクロ）の場合は生産性２００％、両面同時読取（カラー）の場合は生産性１５０％、片面読取（カラー）の場合は生産性７５％、原稿循環式両面読取（モノクロ、カラー）の場合は生産性５０％とそれぞれ算出される。
【００４７】
ステップＳ２０３では、本体＋後処理部（画像形成部２０＋後処理部２００）の生産性（Ｐｏ）が算出される。当該Ｐｏは、例えば図６に示したテーブルに基づいて算出される。図６に示すように、本体＋後処理部における原稿の出力設定が本体（小サイズ、片面、モノクロ）＋後処理部（パンチ＋ステイプル）の場合は、生産性１００％と算出される。また、本体（小サイズ、片面、カラー）＋後処理部（パンチ＋ステイプル）の場合及び本体（大サイズ、片面、モノクロ）＋後処理部（ステイプル）の場合は生産性７５％、本体（大サイズ、片面、カラー）＋後処理部（ステイプル）の場合、本体（小サイズ、両面、モノクロ）＋後処理部（Ｚ折り＋ステイプル）の場合及び本体（小サイズ、両面、カラー）＋後処理部（Ｚ折り＋ステイプル）の場合は生産性５０％、本体（大サイズ、両面、モノクロ）＋後処理部（中折りｏｒ中綴じ）の場合及び本体（大サイズ、両面、カラー）＋後処理部（中折りｏｒ中綴じ）の場合は生産性２５％とそれぞれ算出される。
【００４８】
ステップＳ２０４では、読取部の生産性／本体＋後処理部の生産性（Ｐｒ／Ｐｏ）の値が算出される。
ステップＳ２０５では、Ｐｒ／Ｐｏの値が所定の範囲外であるか否かが判定される。ここで、所定の範囲とは、１．０以上２．０未満である。Ｐｒ／Ｐｏの値が１．０以上２．０未満であった場合は通常読取モードのままであり、読取モードの変更が行われることはない。Ｐｒ／Ｐｏの値が所定の範囲外であった場合は、次のステップＳ２０６へと移行し、Ｐｒ／Ｐｏの値が所定の範囲内であった場合は、ステップＳ２０９へと移行する。
【００４９】
ステップＳ２０６では、読取モードを変更可能である旨がユーザに通知される。当該通知は、例えば図９に示すように、読取モードを通常読取モードから高解像度読取モード（又は低解像度読取モード）へと変更しても仕上がり時間が変わらない旨を表示部１１０上に表示させることにより行われる。また、ユーザが読取モードの変更を行うか否かを選択させるためのボタンを表示させる。
ステップＳ２０７では、読取モードの変更が選択されたか否かが判定される。読取モードの変更が選択された場合は、次のステップＳ２０８へと移行し、読取モードの変更が選択されなかった場合は、ステップＳ２０９へと移行する。
ステップＳ２０８では、算出結果に基づいて読取モードが決定される。図７に示したように、ステップＳ２０４で算出されたＰｒ／Ｐｏの値が１．０以上２．０未満だった場合は、読取解像度６００ｄｐｉ相当（読取速度１倍線速）の読取モード、すなわち通常読取モードのまま読取動作が行われることとなる。また、Ｐｒ／Ｐｏの値が４．０以上だった場合は読取解像度２４００ｄｐｉ相当（読取速度０．２５倍線速）の読取モードに、Ｐｒ／Ｐｏの値が２．０以上４．０未満だった場合は読取解像度１２００ｄｐｉ相当（読取速度０．５倍線速）の読取モードに、Ｐｒ／Ｐｏの値が０．７５以上１．０未満だった場合は読取解像度４００ｄｐｉ相当（読取速度１．３３倍線速）の読取モードに、Ｐｒ／Ｐｏの値が０．７５未満だった場合は読取解像度２００ｄｐｉ相当（読取速度１．６７倍線速）の読取モードにそれぞれ決定される。
ステップＳ２０９では、ステップＳ２０８で決定された読取モードに基づいて読取動作が開始される。
【００５０】
このように、第２実施形態に係る画像形成装置１は、読取動作の生産性と書込動作の生産性及び後処理動作の生産性とを比較して、読取モードを変更可能と判断した場合には、当該読取モードを変更可能である旨を表示部１１０（表示手段）に表示させることができる。
これにより、ユーザは、読取モードの変更を行うか否か自由に選択することができるので、都合に応じた画像出力を行うことができ、便利である。
【００５１】
以上、本発明に係る実施形態に基づいて具体的に説明したが、本発明は上記実施形態に限定されるものではなく、その要旨を逸脱しない範囲で変更可能である。
【００５２】
例えば、上記実施形態では、読取モードを５段階に設定できるようになっているが、段階の数に特に制限はない。
また、生産性を算出するに当たって、生産性と動作条件の関係は、図５、６に示したものに限られない。
【００５３】
その他、画像形成装置１を構成する各装置の細部構成及び細部動作に関しても、本発明の趣旨を逸脱することのない範囲で適宜変更可能である。
【図面の簡単な説明】
【００５４】
【図１】本実施の形態における画像形成装置１の外観図について示した図である。
【図２】本体部１００内部の機能構成例について示した図である。
【図３】制御部４０の機能構成例について示したブロック図である。
【図４】本実施形態に係る画像形成装置１内で行われる読取モード設定処理の一例（読取モード設定処理１）について示したフローチャートである。
【図５】読取部の生産性（Ｐｒ）を算出するためのテーブル図について示した図である。
【図６】本体＋後処理部の生産性（Ｐｏ）を算出するためのテーブル図について示した図である。
【図７】読取モードを決定するための読取モード決定テーブルについて示した図である。
【図８】本実施形態に係る画像形成装置１内で行われる読取モード設定処理の一例（読取モード設定処理２）について示したフローチャートである。
【図９】読取モードを変更可能である旨をユーザに通知する表示画面の一例について示した図である。
【符号の説明】
【００５５】
１  画像形成装置
１００  本体部
１１０  表示部
１２０  操作部
１０  画像読取部
１１  自動原稿給紙装置
１２  原稿画像走査装置
２０  画像形成部
２１  二次転写ローラ
２２  定着部
３０  電源部
４０  制御部
４１  ＣＰＵ
４２  ＲＡＭ
４３  ＲＯＭ
４４  入力ポート
４５  出力ポート
４６  ドライバ
５０  除湿ヒータ
６０  搬送部
２００  後処理部
【図１】
2010139904.tif 000003
【図２】
2010139904.tif 000004
【図３】
2010139904.tif 000005
【図４】
2010139904.tif 000006
【図５】
2010139904.tif 000007
【図６】
2010139904.tif 000008
【図７】
2010139904.tif 000009
【図８】
2010139904.tif 000010
【図９】
2010139904.tif 000011